(57)【要約】【課題】ＦＦＴ後の周波数ドメイン信号を所定のビット数で表す際に、データの飽和を起こさず最適な量子化誤差となるようにスケーリングすることができる演算処理装置および演算処理方法を提供する。【解決手段】本発明に係る演算処理装置１０３は、無線信号を構成するリソースブロック内の複数のサブキャリアに対応した時間ドメインデータを周波数ドメインデータにフーリエ変換するＦＦＴ処理部１１５と、周波数ドメインデータから切り出しビット範囲の切り出しデータを切り出すビット切り出し部１１７と、当該リソースブロック内のサブキャリアの最大振幅に応じて、当該リソースブロック内の切り出しビット範囲を決定する制御部１１９とを備える。【選択図】図２
2012227715.tif 000002
【特許請求の範囲】
【請求項１】
無線信号を構成するリソースブロック内の複数のサブキャリアに対応した時間ドメインデータを周波数ドメインデータにフーリエ変換するＦＦＴ処理部と、
前記周波数ドメインデータから切り出しビット範囲の切り出しデータを切り出すビット切り出し部と、
当該リソースブロック内のサブキャリアの最大振幅に応じて、当該リソースブロック内の前記切り出しビット範囲を決定する制御部と、
を備える演算処理装置。
【請求項２】
請求項１に記載の演算処理装置において、前記制御部は、前記切り出しビット範囲の切り出し基準ビット情報を、前記リソースブロックに対応した切り出しデータに格納させる演算処理装置。
【請求項３】
請求項２に記載の演算処理装置において、前記制御部は、前記切り出し基準ビット情報を構成する各ビットを、前記リソースブロックに対応した切り出しデータのうちサブキャリアに対応して分散して格納させる演算処理装置。
【請求項４】
無線信号を構成するリソースブロック内の複数のサブキャリアに対応した時間ドメインデータを周波数ドメインデータにフーリエ変換するステップと、
当該リソースブロック内のサブキャリアの最大振幅に応じて、当該リソースブロック内の切り出しビット範囲を決定するステップと、
前記周波数ドメインデータから前記切り出しビット範囲の切り出しデータを切り出すステップと、
を含む演算処理方法。
【発明の詳細な説明】
【技術分野】
【０００１】
この発明は、演算処理装置および演算処理方法に関し、特に高速フーリエ変換を実行する演算処理装置および演算処理方法に関するものである。
【背景技術】
【０００２】
新たな世界標準の無線通信方式として、ＬＴＥ（Long Term Evolution）システムが３ＧＰＰ（3rd Generation Partnership Project）で標準化されている。ＬＴＥシステムは、基地局から移動局へのダウンリンクの通信方式にＯＦＤＭＡ（Orthogonal Frequency Division Multiple Access）を採用し、移動局から基地局へのアップリンクの通信方式にＳＣ−ＦＤＭＡ（Single Carrier Frequency Division Multiple Access）を採用している。
【０００３】
これらの通信方式は、高速フーリエ変換（FFT: Fast Fourier Transform）をデジタル信号処理により実行してデータを復調している。ＦＦＴは、時間ドメイン信号を周波数ドメイン信号に変換する処理である。時間ドメイン信号とは、横軸を時間、縦軸を振幅として信号を表したものであり、周波数ドメイン信号とは、横軸を周波数、縦軸を振幅として信号を表したものである。
【０００４】
ＯＦＤＭＡおよびＳＣ−ＦＤＭＡ方式は、リソースブロック（Resource Block）を単位として、無線通信に使用する無線リソースを割り当てる。１リソースブロックは、１８０ｋＨｚ×１ｍｓである。無線リソースは、無線通信のチャネル品質やデータ伝送量などに応じて柔軟に割り当てられ、無線通信に使用する周波数帯域幅は割り当てられるリソースブロックの数に応じて可変となる。無線リソースは、使用可能な全ての帯域幅に相当するリソースブロックを割り当てられる場合もあれば、一部の周波数帯のみのリソースブロックを割り当てられることもある。
【０００５】
リソースブロックは１２本のサブキャリアから構成されており、１本のサブキャリアの周波数帯域は１５ｋＨｚである。周波数ドメインに変換された信号は、サブキャリアの周波数帯域である１５ｋＨｚを最小単位として１５ｋＨｚ毎に振幅の情報を有する。
【０００６】
周波数ドメイン信号の電力は、各サブキャリアの電力を周波数帯域幅で積分することにより求まる。したがって、全体の電力が等しい場合であっても、周波数帯域幅が広い場合はサブキャリア毎の電力は小さくなり、周波数帯域幅が狭い場合はサブキャリア毎の電力は大きくなる。
【０００７】
ＯＦＤＭＡおよびＳＣ−ＦＤＭＡ方式は、割り当てられるリソースブロックの数に応じて無線通信に使用する周波数帯域幅が可変となることから、時間ドメインにおいては同じ振幅を有する信号であっても、ＦＦＴを実行し周波数ドメイン信号に変換したときに、サブキャリア毎の振幅は周波数帯域に応じて異なる値となる。
【０００８】
したがって、多数のリソースブロックが割り当てられ無線通信に使用する周波数帯域幅が広い場合は、ＦＦＴ後のサブキャリアの振幅は小さくなり、少数のリソースブロックが割り当てられ無線通信に使用する周波数帯域幅が狭い場合は、ＦＦＴ後のサブキャリアの振幅は大きくなる。
【０００９】
このように、ＦＦＴ後のサブキャリアの振幅はリソースブロックの割り当てによって大きく異なるため、所定のビット数でＦＦＴ後の振幅データを表すときに適切なスケーリングをすることが困難であった。すなわち、大振幅に合わせてスケーリングすると小振幅の場合に量子化誤差が大きくなってしまい、小振幅に合わせてスケーリングすると大振幅の場合にデータが飽和してしまっていた。
【００１０】
ここでスケーリングとは、所定のビット数で表現する数値の範囲を決定することをいう。ビット数が固定されている場合、飽和を防ぐために表現できる最大の数値が大きくなるようにスケーリングすると、それに伴って最下位ビットが表現する数値が大きくなってしまうため量子化誤差が大きくなる。また、量子化誤差を小さくするために表現できる最小の数値を小さくなるようにスケーリングすると、それに伴って最上位ビットが表現する数値が小さい値になってしまうため大きい数値を表現できなくなり飽和しやすくなる。
【００１１】
適切なスケーリングをするための発明として、ＦＦＴ後の周波数ドメイン信号の振幅の分布をもとにスケーリングを決定する発明が知られている（例えば、特許文献１参照）。
【先行技術文献】
【特許文献】
【００１２】
【特許文献１】特開２００７−５３５８４７号公報
【発明の概要】
【発明が解決しようとする課題】
【００１３】
特許文献１に記載の発明は、ＦＦＴ後の信号に対して、飽和が起こる確率を減らし、かつ、量子化誤差を低減することができる。
【００１４】
しかしながら、リソースブロックの割り当てが極めて少数でありＦＦＴ後の周波数ドメイン信号の振幅が大きい場合などは、データが飽和してしまう場合がある。また、ＬＴＥシステムが使用できる帯域の全てについてリソースブロックが割り当てられＦＦＴ後の周波数ドメイン信号の振幅が小さい場合などは、量子化誤差が許容範囲を超えて大きくなってしまう場合がある。
【００１５】
したがって、上記のような問題点に鑑みてなされた本発明の目的は、ＦＦＴ後の周波数ドメイン信号を所定のビット数で表す際に、データの飽和を起こさず最適な量子化誤差となるようにスケーリングすることができる演算処理装置および演算処理方法を提供することにある。
【課題を解決するための手段】
【００１６】
上述した諸課題を解決すべく、請求項１に係る演算処理装置は、
無線信号を構成するリソースブロック内の複数のサブキャリアに対応した時間ドメインデータを周波数ドメインデータにフーリエ変換するＦＦＴ処理部と、
前記周波数ドメインデータから切り出しビット範囲の切り出しデータを切り出すビット切り出し部と、
当該リソースブロック内のサブキャリアの最大振幅に応じて、当該リソースブロック内の前記切り出しビット範囲を決定する制御部と、
を備えるものである。
【００１７】
請求項２に係る演算処理装置は、請求項１に記載の演算処理装置において、前記制御部は、前記切り出しビット範囲の切り出し基準ビット情報を、前記リソースブロックに対応した切り出しデータに格納させるものである。
【００１８】
請求項３に係る演算処理装置は、請求項２に記載の演算処理装置において、前記制御部は、前記切り出し基準ビット情報を構成する各ビットを、前記リソースブロックに対応した切り出しデータのうちサブキャリアに対応して分散して格納させるものである。
【００１９】
上述したように本発明の解決手段を装置として説明してきたが、本発明はこれらに実質的に相当する方法、プログラム、プログラムを記録した記憶媒体としても実現し得るものであり、本発明の範囲にはこれらも包含されるものと理解されたい。
【００２０】
例えば、本発明を方法として実現させた請求項４に記載の演算処理方法は、
無線信号を構成するリソースブロック内の複数のサブキャリアに対応した時間ドメインデータを周波数ドメインデータにフーリエ変換するステップと、
当該リソースブロック内のサブキャリアの最大振幅に応じて、当該リソースブロック内の切り出しビット範囲を決定するステップと、
前記周波数ドメインデータから前記切り出しビット範囲の切り出しデータを切り出すステップと、
を含むものである。
【発明の効果】
【００２１】
上記のように構成された本発明に係る演算処理装置および演算処理方法によれば、ＦＦＴ後の周波数ドメイン信号を所定のビット数で表す際に、データの飽和を起こさず最適な量子化誤差となるようにスケーリングすることができる。
【図面の簡単な説明】
【００２２】
【図１】本発明の第１実施形態に係る無線通信システムの概略的な構成図である。
【図２】本発明の第１実施形態に係る基地局の概略構成を示す機能ブロック図である。
【図３】本発明の第１実施形態に係るＦＦＴ処理部の入出力信号の説明図である。
【図４】本発明の第１実施形態に係るビット切り出し部の処理説明図である。
【図５】本発明の第１実施形態に係るリソースブロック毎に切り出しビット範囲が異なる様子を示す図である。
【図６】本発明の第１実施形態に係る基地局の処理手順を示すフローチャートである。
【図７】本発明の第２実施形態に係る切り出し基準ビットの情報を各サブキャリアの切り出しデータに分散して格納する様子を示す図である。
【図８】本発明の第２実施形態に係る基地局の処理手順を示すフローチャートである。
【発明を実施するための形態】
【００２３】
以下、本発明の演算処理装置を基地局に適用した場合の実施形態について、図面を参照して説明する。
【００２４】
（第１実施形態）
図１は、本発明の第１実施形態に係る無線通信システムの概略的な構成図である。無線通信システム１１は、移動局１０１と基地局１０３とを有する。ＬＴＥシステムは、ダウンリンクにＯＦＤＭＡ通信方式、アップリンクにＳＣ−ＦＤＭＡ方式を採用している。移動局１０１は、例えば、携帯機器やＰＣカード搭載のパソコンといった無線通信端末である。
【００２５】
図２は、本発明の第１実施形態に係る基地局の概略構成を示す機能ブロック図である。
【００２６】
基地局１０３は、通信部１１１、ベースバンド部１１３および制御部１１９を備える。
【００２７】
通信部１１１は、アンテナから受け取った受信信号を無線周波数からベースバンド周波数に変換し、続いて、ベースバンド周波数に変換した受信信号をアナログ信号からデジタル信号に変換してベースバンド部１１３に出力する。
【００２８】
ベースバンド部１１３は、ＦＦＴ処理部１１５およびビット切り出し部１１７を備える。ＦＦＴ処理部１１５およびビット切り出し部１１７については後に詳述する。
【００２９】
制御部１１９は、基地局１０３の各機能ブロックをはじめとして基地局１０３の全体を制御および管理する。ここで、制御部１１９は、ＣＰＵ等の任意の好適なプロセッサ上で実行されるソフトウェアとして構成したり、処理ごとに特化した専用のＤＳＰ（デジタルシグナルプロセッサ）等によって構成したりすることもできる。
【００３０】
ＦＦＴ処理部１１５の詳細について説明する。ＦＦＴ処理部１１５は、通信部１１１から時間ドメイン信号を受け取りＦＦＴ演算を実行して周波数ドメイン信号に変換して出力する。ここで、ＦＦＴ処理部１１５は、ＦＦＴ演算において繰り返して実行される乗算などにより丸め誤差に起因する計算誤差が積み重なっていくことを防ぐために、受け取った時間ドメイン信号のビット数を拡張してＦＦＴ演算を実行する。例えば、ＦＦＴ処理部１１５は、通信部１１１から受け取った１５ビットの時間ドメイン信号を３８ビットの時間ドメイン信号に拡張してＦＦＴ演算を実行する。ＦＦＴ処理部１１５は、ＦＦＴ演算により変換された周波数ドメイン信号を３８ビットに拡張したデータのままビット切り出し部１１７に出力する。なお、１５ビットのデータを３８ビットのデータに拡張する場合を例に挙げて説明しているが、この説明は、これらの値に限定することを意味するものではない。
【００３１】
図３（ａ）〜図３（ｃ）は、本発明の第１実施形態に係るＦＦＴ処理部の入出力信号を説明する図である。
【００３２】
図３（ａ）に示すように、ＦＦＴ処理部１１５は、時間ドメイン信号を受け取り、ＦＦＴ演算を実行して周波数ドメイン信号に変換して出力する。ＦＦＴ処理部１１５は、例えば、１５ビットの時間ドメイン信号を３８ビットに拡張してＦＦＴ演算を実行し、３８ビットの周波数ドメイン信号を出力する。
【００３３】
図３（ｂ）は、多数のリソースブロックが割り当てられている場合のＦＦＴ処理部１１５による時間ドメイン信号から周波数ドメイン信号への変換を示す。左側の図は時間ドメイン信号のグラフであり、横軸は時間、縦軸は振幅である。右側の図は周波数ドメイン信号のグラフであり、横軸は周波数、縦軸は振幅である。
【００３４】
図３（ｃ）は、同様に、少数のリソースブロックが割り当てられている場合のＦＦＴ処理部１１５による時間ドメイン信号から周波数ドメイン信号への変換を示す。図３（ｂ）と図３（ｃ）は、無線通信に使用されている電力は等しいものとする。
【００３５】
図３（ｂ）と図３（ｃ）の時間ドメイン信号のグラフを比較すると、信号電力が等しいため、波形の形状は異なるが振幅の平均値は等しい。しかし、周波数ドメインのグラフを比較すると、図３（ｂ）のグラフと図３（ｃ）のグラフとでは振幅が大きく異なる。図３（ｂ）の周波数ドメイン信号のグラフは、多数のリソースブロックが割り当てられているため周波数帯域幅が広く、単位周波数帯域幅あたりの振幅は小さい。図３（ｃ）の周波数ドメイン信号のグラフは、少数のリソースブロックしか割り当てられていないため周波数帯域幅が狭く、単位周波数帯域幅あたりの振幅は大きい。図３(ｂ)の時間ドメイン信号と図３（ｃ）の時間ドメイン信号とでは電力が等しいため、振幅を２乗した値を周波数帯域幅で積分した値は等しくなるが、図３（ｂ）と図３（ｃ）とでは周波数帯域幅が異なるため、単位周波数あたりの振幅に相違が生じている。
【００３６】
図３（ｄ）に示すように、リソースブロックは１２本のサブキャリアから構成されている。ＦＦＴ処理部１１５がＦＦＴ演算した後の周波数ドメイン信号のデータは、サブキャリアが最小の周波数単位となる。したがって、図３（ｂ）のように多数のリソースブロックが割り当てられている場合は各サブキャリアの振幅は小さくなり、図３（ｃ）のように少数のリソースブロックしか割り当てられていない場合は各サブキャリアの振幅は大きくなる。
【００３７】
図３（ｂ）のように各サブキャリアの振幅が小さい場合は、量子化誤差を小さくするため小さい値の範囲を表現できるようにスケーリングすることが好ましい。また、図３（ｃ）のように各サブキャリアの振幅が大きい場合は、データが飽和しないようにするため大きい値の範囲を表現できるようにスケーリングすることが好ましい。
【００３８】
ビット切り出し部１１７の詳細について説明する。ビット切り出し部１１７は、図４に示すように、ビット切り出し部１１７がＦＦＴ演算後の３８ビットに拡張されたデータから１５ビットのデータを切り出す。図４に記載のデータは番号が大きいほど上位ビットであることを意味し、最上位ビットにある「Ｓ」は符号ビットを意味する。符号ビットは、ビット切り出しの際に、そのまま１５ビットのデータの最上位ビットとして付加される。
【００３９】
ここで、以後の説明のために種々の用語を定義する。「ビット拡張データ」とは、図４の左側に記載される３７ビットの振幅データに１ビットの符号ビットを付加した３８ビットのデータのことである。「切り出しデータ」とは、ビット拡張データから１４ビットの振幅データを切り出し、それに１ビットの符号ビットを付加した図４の右側に記載される１５ビットのデータである。「切り出しビット範囲」とは、ビット拡張データから切り出しデータを切り出す際のビット拡張データにおけるビット範囲であり符号は含まない。図４の例においては、ビット拡張データの１６〜２９番目のビット範囲が切り出しビット範囲である。「切り出し基準ビット」とは、切り出しビット範囲のうちの最上位ビットのことをいい、図４の例においては２９番目のビットである。
【００４０】
ビット拡張データは、３８ビットに拡張されたビット数を有するため、広い振幅範囲を表現することができ、大きい振幅に対して飽和することも小さい振幅に対して量子化誤差が大きくなることもない。しかし、ビット拡張データのままＦＦＴ演算後の処理も続けることはプロセッサの負荷が大きくなり過ぎるため、ビット切り出し部１１７は、ＦＦＴ処理部１１５が出力するビット拡張データから１５ビットのデータを切り出す必要がある。
【００４１】
このようにビット切り出し部１１７がビット拡張データから切り出しデータを切り出す処理は、所定のビット数（１５ビット）で表現する数値の範囲を決定することに相当し、すなわち上述の説明に用いたスケーリングに相当する。
【００４２】
制御部１１９の詳細について説明する。制御部１１９は、切り出しデータが飽和することを防ぐために、ビット拡張データの中でデータが「１」であるビットのうちの最上位ビットと等しい位置のビット、または、それより上位のビットを切り出し基準ビットとすることが必要である。
【００４３】
また、制御部１１９は、切り出しデータの量子化誤差を可能な限り小さくするために、切り出しビット範囲を可能な限り下位ビット側に設定することが望ましい。
【００４４】
したがって、制御部１１９は、ビット拡張データの中でデータが「１」であるビットのうちの最上位ビットを切り出し基準ビットとして切り出すようにビット切り出し部１１７を制御する。こうすることで、制御部１１９は、切り出しデータが飽和することを防ぎ、かつ、切り出しデータの量子化誤差を可能な限り小さくすることができる。
【００４５】
制御部１１９は、リソースブロックを単位とし、１リソースブロックに含まれる１２本のサブキャリアについては、同一の切り出しビット範囲でビット拡張データから切り出しデータを切り出すようにビット切り出し部１１７を制御する。同一リソースブロック内のサブキャリアにも振幅の相違があるため、制御部１１９は、切り出しデータが飽和しないようにするため、１リソースブロック内の１２本のサブキャリアのうちで最大の振幅を持つサブキャリアのビット拡張データに基づいてビット切り出し範囲を決定し、他の１１本のサブキャリアについても同じビット切り出し範囲を適用する。
【００４６】
図５に、リソースブロックを単位として、ビット切り出し部１１７がビット拡張データから切り出しデータを切り出す様子を示す。
【００４７】
図５のグラフは、横軸が周波数、縦軸がＦＦＴ後の受信データのビットを表し、１つの長方形が１つのリソースブロックを示す。ユーザ１〜ユーザ４は、それぞれ、５つ、４つ、２つ、３つのリソースブロックを割り当てられている。グラフの右側には、ビット拡張データのフォーマットが０〜３６の数字およびＳで示されている。
【００４８】
図５に示す長方形の高さはＦＦＴ後の受信データの振幅に対応するビットを示し、例えば、ユーザ１の振幅は、０〜１３番目までのビットで表現することができ、１４〜３６番目までのビットの値は全て０であることを示す。同様に、ユーザ２〜ユーザ４までの振幅は、それぞれ、０〜１４番目、０〜２８番目、０〜２６番目までのビットで表現することができる。なお、図５では、同一ユーザのリソースブロックのビットが全て揃っている場合を示しているが、常にこのようになる訳ではなく、同一ユーザのリソースブロックを表現するために必要なビットはリソースブロック毎に異なる値になる場合もある。
【００４９】
ユーザ３を例に挙げて、制御部１１９が切り出しビット範囲を決定する手順を説明する。ユーザ３のＦＦＴ演算後の振幅データは０〜２８番目までのビットで表現することができ、それより上位のビットである２９〜３６番目までのビットのデータは全て「０」である。したがって、データが「１」であるビットのうちの最上位ビットは２８番目のビットであるため、制御部１１９は、２８番目のビットを切り出し基準ビットとして決定する。続いて、制御部１１９は、２８番目のビットを最上位ビットとした１４ビット分のデータ範囲、すなわち１５〜２８番目のビットまでを、切り出しビット範囲として決定する。図５の各リソースブロックにおいて、ハッチングで示すビット範囲が切り出しビット範囲である。
【００５０】
図６に示すフローチャートを参照しながら、第１実施形態に係るビット拡張データから切り出しデータを切り出す手順を説明する。
【００５１】
ＦＦＴ処理部１１５は、時間ドメイン信号を受け取ってＦＦＴを実行し周波数ドメイン信号に変換する。ＦＦＴ処理部１１５は、周波数ドメインに変換後のデータをビット切り出し部１１７および制御部１１９に出力する（ステップＳ１０１）。
【００５２】
制御部１１９は、ＦＦＴ処理部１１５から周波数ドメインのデータを受け取り、リソースブロック毎に１２本のサブキャリアの中から最大の振幅を有するサブキャリアを検出する（ステップＳ１０２）。
【００５３】
制御部１１９は、当該最大の振幅を有するサブキャリアの振幅データを基に切り出しビット範囲を決定し、決定した当該切り出しビット範囲を他の１１本のサブキャリアにも適用してそのリソースブロックの切り出しビット範囲とする（ステップＳ１０３）。
【００５４】
ビット切り出し部１１７は、制御部１１９から切り出しビット範囲の情報を受け取り、ＦＦＴ処理部１１５から受け取ったビット拡張データに対して当該切り出しビット範囲でビット切り出しを実行する（ステップＳ１０４）。
【００５５】
このように第１実施形態によれば、基地局１０３の制御部１１９は、ＦＦＴ処理部１１５によるＦＦＴ演算後の周波数ドメイン信号の振幅に応じて、データの飽和を防ぐことができ、かつ、量子化誤差の小さいデータを切り出すことができる。
【００５６】
（第２実施形態）
第１実施形態では、ＦＦＴ演算後の周波数ドメイン信号の振幅に応じて、ビット拡張データから切り出しデータを切り出す場合を説明したが、第２実施形態では、第１実施形態に加えて、さらに、切り出し基準ビットの情報を切り出しデータに格納する場合について説明する。なお、第１実施形態と重複する部分については説明を省略する。
【００５７】
第１実施形態においてビット切り出し部１１７が切り出した切り出しデータを後段のブロックが処理する際、後段のブロックが振幅の絶対値を判断するためには、切り出しデータと併せて切り出し基準ビットの情報も必要である。そこで、制御部１１９が切り出し基準ビットの情報を切り出しデータに付加して格納することが考えられる。切り出し基準ビットはリソースブロック毎に共通であるので、リソースブロック毎に切り出し基準ビットの情報を格納できればよい。
【００５８】
図７に、一例として、ビット切り出し部１１７がビット拡張データの２３〜３６番目までの１４ビットに符号ビットＳを付加して１５ビットのデータを切り出した場合を示す。この例においては、切り出し基準ビットは３６番目のビットである。
【００５９】
切り出し基準ビットは切り出しビット範囲のうちの最上位ビットであるため、本例のようにビット拡張データの振幅が０〜３６番目までのビットで表される値であり、振幅１４ビットに符号１ビットを付加した１５ビットの切り出しデータを切り出す場合、切り出し基準ビットの取り得る値の範囲は１３〜３６である。３６までの数値は６ビットあれば表現できるため、制御部１１９は、１リソースブロックのＩチャネル、Ｑチャネルそれぞれ１２本のサブキャリアのうち、Ｉチャネルの低周波側の６本のサブキャリアに１ビットずつ分散して切り出し基準ビットの情報を格納する。本例の場合、切り出し基準ビット３６は、２進数で表すと１００１００であり、図７に示すようにこの値を１ビットずつＩチャネルの低周波側の６本のサブキャリアに１ビットずつ格納する。本実施例では、６本のサブキャリアに分散して格納する例を示したが、これは一例であり、ビット拡張データのサイズに応じて適切な本数のサブキャリアに分散して格納することができる。
【００６０】
図８に示すフローチャートを参照しながら、第１実施形態に係るビット拡張データから切り出しデータを切り出す手順を説明する。
【００６１】
ステップＳ２０１〜２０４までは、第１実施形態において説明したステップＳ１０１〜Ｓ１０４までの手順と同じであるため説明を省略する。
【００６２】
制御部１１９は、ステップＳ２０４においてビット切り出し部１１７が切り出した切り出しデータに対して、リソースブロック毎に、切り出し基準ビットの情報をＩチャネルの低周波側の６本のサブキャリアに１ビットずつ分散して格納する（ステップＳ２０５）。
【００６３】
このように、第２実施形態によれば、基地局１０３の制御部１１９は、切り出し基準ビットの情報をリソースブロック毎に切り出しデータに付加して格納し後段のブロックに出力することができる。
【００６４】
本発明を諸図面や実施例に基づき説明してきたが、当業者であれば本開示に基づき種々の変形や修正を行うことが容易であることに注意されたい。したがって、これらの変形や修正は本発明の範囲に含まれることに留意されたい。例えば、各部材、各手段、各ステップなどに含まれる機能などは論理的に矛盾しないように再配置可能であり、複数の手段やステップなどを１つに組み合わせたり、或いは分割したりすることが可能である。
【００６５】
なお、上述の実施例では、移動体通信システムとしてＬＴＥを想定して説明したが、本発明はこれに限られるものではなく、ＦＦＴを実行する通信システムであれば、他の通信システムにも適用することができる。
【００６６】
また、上述の実施例では、３８ビットのビット拡張データから１５ビットの切り出しデータを切り出す場合を例として説明したが、これはあくまでも一例であり、ビット拡張データおよび切り出しデータのビット数は、これらに限定されるものではない。
【符号の説明】
【００６７】
１１    無線通信システム
１０１  移動局
１０３  基地局
１１１  通信部
１１３  ベースバンド部
１１５  ＦＦＴ処理部
１１７  ビット切り出し部
１１９  制御部
【図１】
2012227715.tif 000003
【図２】
2012227715.tif 000004
【図３】
2012227715.tif 000005
【図４】
2012227715.tif 000006
【図５】
2012227715.tif 000007
【図６】
2012227715.tif 000008
【図７】
2012227715.tif 000009
【図８】
2012227715.tif 000010